(57)【要約】      （修正有）【課題】コンピュータから電子時計に通知する情報について、容易にフィルタを設定することのできる電子時計、通知システム、コンピュータ及び通知方法を提供する。【解決手段】電子時計は、コンピュータにユーザへの通知があることを示す通知存在情報を受信する受信部と、前記コンピュータの記憶部に記憶され、前記通知存在情報についてのユーザへの通知の要否を示すフィルタ情報による判断結果に基づいて、ユーザへの通知を行う通知部と、を有する。【選択図】図２
2020126074.tif 000002
【特許請求の範囲】
【請求項１】
ユーザへの通知を受信した場合に、ユーザへの通知があることを示す通知存在情報を電子時計に送信する端末通信部と、
前記通知存在情報についてのユーザへの通知の要否を示すフィルタ情報を記憶する記憶部と、
前記通知存在情報について、前記フィルタ情報に基づいてユーザへの通知の要否を判断する通知要否判断部と、
を有するコンピュータと、
前記端末通信部から送信される前記通知存在情報を受信すると共に、受信した前記通知存在情報を、前記端末通信部に返信し、かつ、前記通知要否判断部が返信された前記通知存在情報から判断した前記電子時計における通知の要否の判断結果を前記端末通信部から受信する時計通信部と、
前記通知要否判断部による判断結果に基づいて、ユーザへの通知を行う通知部と、
を有する前記電子時計と、
を含む通知システム。
【請求項２】
前記コンピュータが備える前記通知要否判断部の代わりに前記電子時計が通知要否判断部を備え、
前記時計通信部は、前記フィルタ情報を受信し、
前記通知部は、前記電子時計の前記通知要否判断部による判断結果に基づいて、ユーザへの通知を行う、
請求項１に記載の通知システム。
【請求項３】
前記コンピュータは、ユーザへの通知の態様である通知態様を決定する通知態様決定部をさらに有し、
前記時計通信部は、前記通知態様を受信し、
前記通知部は、前記通知態様により、ユーザへの通知を行う、
請求項１又は２に記載の通知システム。
【請求項４】
前記電子時計は、ユーザへの通知の態様である通知態様を決定する通知態様決定部をさらに有し、
前記通知部は、前記通知態様により、ユーザへの通知を行う、
請求項１又は２に記載の通知システム。
【請求項５】
前記通知態様は、音、振動、指針位置及び指針動作の少なくともいずれかである、
請求項３又は４に記載の通知システム。
【請求項６】
前記通知態様は、指針位置であり、
前記電子時計は、ユーザへの通知の種別に応じた位置に前記指針を運針させる運針部を有する、
請求項５に記載の通知システム。
【請求項７】
前記電子時計は、
前記通知部によるユーザへの通知に対するユーザの入力を受け付けるユーザ入力受付部と、
前記ユーザ入力受付部により受け付けられたユーザの入力を、前記コンピュータに送信するユーザ入力送信部と、
をさらに有する請求項１〜６のいずれか１項に記載の通知システム。
【請求項８】
前記電子時計は、前記通知存在情報について、前記フィルタ情報に基づいてユーザへの即時通知の要否を判断する速報性判断部をさらに有し、
前記通知部は、前記速報性判断部の判断結果に基づいて、ユーザへの通知を行う、
請求項１〜７のいずれか１項に記載の通知システム。
【請求項９】
前記電子時計は、
前記コンピュータとの接続状態を示す接続状態表示と、
前記接続状態に応じて前記接続状態表示を指し示すように指針を運針させる運針部と、
を有する請求項１〜８のいずれか１項に記載の通知システム。
【請求項１０】
前記フィルタ情報は、送信者又は送信内容に関する重要度を示す情報を含み、
前記通知態様決定部は前記重要度に基づいて通知態様を決定する、
請求項３〜６のいずれか１項に記載の通知システム。
【請求項１１】
ユーザへの通知を受信した場合に、ユーザへの通知があることを示す通知存在情報を電子時計に送信する端末通信部と、
前記通知存在情報についてのユーザへの通知の要否を示すフィルタ情報を記憶する記憶部と、
前記通知存在情報について、前記フィルタ情報に基づいてユーザへの通知の要否を判断する通知要否判断部と、
を有するコンピュータと通信する電子時計であって、
前記端末通信部から送信される前記通知存在情報を受信すると共に、受信した前記通知存在情報を、前記端末通信部に返信し、かつ、前記通知要否判断部が返信された前記通知存在情報から判断した前記電子時計における通知の要否の判断結果を前記端末通信部から受信する時計通信部と、
前記通知要否判断部による判断結果に基づいて、ユーザへの通知を行う通知部と、
をさらに含む、電子時計。
【請求項１２】
コンピュータが、ユーザへの通知を受信した場合に、ユーザへの通知があることを示す通知存在情報を電子時計に送信し、
前記電子時計が、受信した前記通知存在情報を前記コンピュータに返信し、
前記コンピュータが、該コンピュータの記憶部に記憶される、前記通知存在情報についてのユーザへの通知の要否を示すフィルタ情報に基づいて、ユーザへの通知の要否を判断し、
前記コンピュータが、前記通知の要否の判断結果を、前記電子時計に送信し、
前記電子時計が、前記判断結果に基づいて、ユーザへの通知を行う、
通知方法。
【発明の詳細な説明】
【技術分野】
【０００１】
本発明は通知システム、電子時計、及び通知方法に関する。
【背景技術】
【０００２】
電子時計は、いわゆるスマートフォン等のコンピュータと通信して、コンピュータからの通知を受け、コンピュータに関する情報を表示する場合がある。具体的には、電子時計は、コンピュータに電子メールや電話等のユーザへの通知があった場合にコンピュータから通知を受けて、コンピュータにユーザへの通知があった旨を表示する場合がある。
【０００３】
下記特許文献１には、腕時計等の外部端末が特定状態（電池残量が良好な状態等）にあるか否かに応じて、着信を外部端末に通知するか否かを制御する携帯通信装置が記載されている。
【先行技術文献】
【特許文献】
【０００４】
【特許文献１】特開２０１４−１９７９１２号公報
【発明の概要】
【発明が解決しようとする課題】
【０００５】
スマートフォン等のコンピュータによって受信されるユーザへの通知は、種々雑多であり、その重要度は通知毎に大きく異なる場合がある。そのため、コンピュータで受信した全ての通知を電子時計によりユーザに通知すると、必ずしも重要でない情報までユーザに通知されることとなり、煩わしさを感じる場合がある。
【０００６】
ここで、ユーザが電子時計を操作して、通知の重要度に応じたフィルタを設定することも考えられるが、操作手段が限られる電子時計にあっては、フィルタの設定に必要とされる複雑な操作が困難である場合がある。
【０００７】
本発明はかかる事情に鑑みてなされたものであり、その目的は、コンピュータから電子時計に通知する情報について、容易にフィルタを設定することのできる通知システム、電子時計、及び通知方法を提供することである。
【課題を解決するための手段】
【０００８】
上記課題を解決すべく本出願において開示される発明は種々の側面を有しており、それら側面の代表的なものの概要は以下の通りである。
【０００９】
（１）電子時計は、コンピュータにユーザへの通知があることを示す通知存在情報を受信する受信部と、前記コンピュータの記憶部に記憶され、前記通知存在情報についてのユーザへの通知の要否を示すフィルタ情報による判断結果に基づいて、ユーザへの通知を行う通知部と、を有する。
【００１０】
（２）（１）において、前記通知存在情報について、前記フィルタ情報に基づいてユーザへの通知の要否を判断する通知要否判断部に送信する送信部をさらに有し、前記受信部は、前記通知要否判断部による判断結果を受信し、前記通知部は、前記判断結果に基づいて、ユーザへの通知を行う、電子時計。
【００１１】
（３）（１）において、前記通知存在情報について、前記フィルタ情報に基づいてユーザへの通知の要否を判断する通知要否判断部をさらに有し、前記受信部は、前記フィルタ情報を受信し、前記通知部は、前記判断結果に基づいて、ユーザへの通知を行う、電子時計。
【００１２】
（４）（１）又は（２）において、前記受信部は、ユーザへの通知の態様である通知態様を受信し、前記通知部は、前記通知態様により、ユーザへの通知を行う、電子時計。
【００１３】
（５）（１）又は（３）において、ユーザへの通知の態様である通知態様を決定する通知態様決定部をさらに有し、前記通知部は、前記通知態様により、ユーザへの通知を行う、電子時計。
【００１４】
（６）（４）又は（５）において、前記通知態様は、音、振動、指針位置及び指針動作の少なくともいずれかである、電子時計。
【００１５】
（７）（１）〜（６）のいずれかにおいて、前記通知部によるユーザへの通知に対するユーザの入力を受け付けるユーザ入力受付部と、前記ユーザ入力受付部により受け付けられたユーザの入力を、前記コンピュータに送信するユーザ入力送信部と、電子時計。
【００１６】
（８）（１）〜（７）のいずれかにおいて、前記通知存在情報について、前記フィルタ情報に基づいてユーザへの即時通知の要否を判断する速報性判断部をさらに有し、通知部は、前記速報性判断部の判断結果に基づいて、ユーザへの通知を行う、電子時計。
【００１７】
（９）通知システムは、（１）〜（８）のいずれかに記載の電子時計と、ユーザへの通知を受信した場合に、ユーザへの通知があることを示す通知存在情報を前記電子時計に送信する送信部を有するコンピュータと、を含む。
【００１８】
（１０）コンピュータは、ユーザへの通知を受信した場合に、ユーザへの通知があることを示す通知存在情報を（１）〜（８）のいずれかに記載の電子時計に送信する送信部を有する。
【００１９】
（１１）（１０）において、前記通知存在情報について、前記フィルタ情報に基づいてユーザへの通知の要否を判断する通知要否判断部をさらに有し、前記送信部は、前記通知要否判断部による判断結果を、前記電子時計に送信する、コンピュータ。
【００２０】
（１２）（１０）において、前記送信部は、前記フィルタ情報を、前記電子時計に送信する、コンピュータ。
【００２１】
（１３）通知方法は、コンピュータにユーザへの通知があることを示す通知存在情報を前記コンピュータから電子時計に送信し、前記通知存在情報を前記電子時計により受信し、前記コンピュータの記憶部に記憶され、前記通知存在情報についてのユーザへの通知の要否を示すフィルタ情報による判断結果に基づいて、前記電子時計により、ユーザへの通知を行う。
【発明の効果】
【００２２】
上記本発明の（１）、（９）、（１０）及び（１３）の側面によれば、コンピュータから電子時計に通知する情報について、容易にフィルタを設定することのできる電子時計、通知システム、コンピュータ及び通知方法が得られる。
【００２３】
また、上記本発明の（２）の側面によれば、記憶容量を低減し、消費電力を低く抑えた電子時計が得られる。
【００２４】
また、上記本発明の（３）の側面によれば、ユーザへの通知の速度が向上した電子時計が得られる。
【００２５】
また、上記本発明の（４）の側面によれば、ユーザが通知をより確実に認識でき、消費電力を低く抑えた電子時計が得られる。
【００２６】
また、上記本発明の（５）の側面によれば、ユーザへの通知が素早く行なわれ、ユーザが通知をより確実に認識できる電子時計が得られる。
【００２７】
また、上記本発明の（６）の側面によれば、ユーザの視覚、聴覚及び触覚に訴えて通知を行う電子時計が得られる。
【００２８】
また、上記本発明の（７）の側面によれば、ユーザへの通知に応答できる電子時計が得られる。
【００２９】
また、上記本発明の（８）の側面によれば、コンピュータがユーザへの通知を受けてから、電子時計が通知を行うまでのタイムラグが短縮された電子時計が得られる。
【００３０】
また、上記本発明の（１１）の側面によれば、電子時計の演算負荷を肩代わりするコンピュータが得られる。
【００３１】
また、上記本発明の（１２）の側面によれば、電子時計によるユーザへの通知の速度を向上させるコンピュータが得られる。
【図面の簡単な説明】
【００３２】
【図１】本発明の第１の実施形態に係る電子時計の外観の一例を示す平面図である。
【図２】本発明の第１の実施形態に係る通知システムの機能ブロック図である。
【図３】本発明の第１の実施形態に係る通知システムにおける通知方法を示すフローチャートである。
【図４】本発明の第２の実施形態に係る通知システムの機能ブロック図である。
【図５】本発明の第２の実施形態に係る通知システムにおける通知方法を示すフローチャートである。
【図６】本発明の第２の実施形態に係る通知システムにおけるフィルタ情報の送信処理を示すフローチャートである。
【図７】本発明の第３の実施形態に係る通知システムの機能ブロック図である。
【図８】本発明の第３の実施形態に係る通知システムにおける通知方法を示すフローチャートである。
【発明を実施するための形態】
【００３３】
以下、本発明の実施の形態について、図面を参照しながら説明する。
【００３４】
［第１の実施形態］
図１は、本発明の第１の実施形態に係る電子腕時計１の外観の一例を示す平面図である。本実施形態に係る電子腕時計１は、いわゆるアナログ時計の外観を有し、コンピュータである携帯端末３０と近距離無線通信を行う。電子腕時計１は、外装（時計ケース）である胴内に文字板１０を有する。文字板１０上には、電子腕時計１が携帯端末３０との接続を確立する処理を行っていることを表す接続処理表示１１と、携帯端末３０との接続が切断されたことを表すリンクロス表示１２と、携帯端末３０に電子メールの受信があったことを通知する電子メール受信表示１３と、携帯端末３０に電話の着信があったことを通知する電話着信表示１４とを有する。接続処理表示１１、リンクロス表示１２、電子メール受信表示１３及び電話着信表示１４は、後述する秒針２１により指し示される。
【００３５】
文字板１０には、副針により現在時刻を２４時制で示す２４時間表示１５が設けられる。また、文字板１０には、二次電池の充電残量を「０」〜「３」の４段階で示す充電残量表示１６と、副針により現在の曜日を「日」〜「土」で示す曜日表示１７と、副針によりアラーム設定の有無を「ＯＮ」又は「ＯＦＦ」で示すアラーム設定表示部１８と、副針により携帯端末３０との近距離無線通信による接続状態を「ＯＮ」又は「ＯＦＦ」で示す接続状態表示１９と、が設けられる。また、文字板１０上には、副針で「ＴＭＥ」を指すことにより時刻表示モードであることを示し、副針で「ＣＨＲ」を指すことによりクロノグラフ表示であることを示し、副針で「ＡＬＭ」を指すことによりアラーム設定表示であることを示し、副針で「Ｌ−ＴＭ」を指すことによりローカル時刻表示であることを示す、モード表示２０が設けられる。また、文字板１０上には、時刻を示す指針である秒針２１、分針２２及び時針２３が設けられている。胴の側面には、電子腕時計１のユーザが種々の操作を行うための竜頭２及びプッシュボタン４が設けられている。
【００３６】
電子腕時計１には、文字板１０を覆うようにガラス等の透明材料により形成された風防が胴に取り付けられている。また、風防の反対側においては裏蓋が胴に取り付けられている。本明細書では、以降、電子腕時計１の風防が配置される方向（図１における紙面手前方向）を表側、裏蓋が配置される方向（図１における紙面奥方向）を裏側と呼ぶ。
【００３７】
文字板１０の裏側には、太陽電池が配置され、表側から入光した光により発電がなされる。そのため、文字板１０はある程度光線を透過する材質で形成される。本実施形態に係る電子腕時計１は、太陽電池で発電した電力を二次電池に蓄え、秒針２１等を駆動する。もっとも、電子腕時計１は、一次電池により駆動するものであってもよい。
【００３８】
図１に示した電子腕時計１のデザインは一例である。ここで示したもの以外にも、例えば、胴を丸型でなく角型にしてもよいし、竜頭２やプッシュボタン４の有無、数、配置は任意である。また、本実施形態では、指針を秒針２１、分針２２、時針２３及び３本の副針の計６本としているが、これに限定されず、各種の表示を行う指針を追加又は削除したり、日付表示を追加したりしてもよい。
【００３９】
図２は、本発明の第１の実施形態に係る通知システム１００の機能ブロック図である。本実施形態に係る通知システム１００は、電子腕時計１と携帯端末３０を含む。携帯端末３０は、フィルタ情報記憶部３１と、通知要否判断部３２と、通知態様決定部３３と、端末通信部３４と、電話部３５と、電子メール部３６とを有する。また、電子腕時計は、ユーザ入力受付部４０と、時計通信部４１と、通知部４２とを有する。端末通信部３４と時計通信部４１は、無線通信を行う。本実施形態に係る通知システム１００において、端末通信部３４と時計通信部４１は、近距離無線通信により通信を行う。なお、本実施形態に係る携帯端末３０はスマートフォンであるが、タブレットＰＣ等の持ち運び可能なコンピュータであってもよい。また、通知システム１００に含まれるコンピュータは、持ち運び可能なコンピュータに限られず、据え置き型のコンピュータであってもよい。
【００４０】
フィルタ情報記憶部３１は、携帯端末３０（コンピュータ）で編集され、携帯端末３０にユーザへの通知があることを示す通知存在情報についてのユーザへの通知の要否を示すフィルタ情報を記憶する。携帯端末３０にユーザの通知がある場合とは、電話回線を介して電話部３５に着信があった場合や、インターネット回線を介して電子メール部３６に電子メールの受信があった場合である。
【００４１】
フィルタ情報記憶部３１に記憶されるフィルタ情報は、電話部３５に着信又は電子メール部３６に受信があった場合に、ユーザに通知するか否かを示す情報を含んでよい。電話部３５に着信又は電子メール部３６に受信があった場合に、ユーザに通知するか否かを示す情報は、電話や電子メールの送信者に関する重要度を示す情報であってもよいし、電子メールの内容に関する重要度を示す情報であってもよいし、電話や電子メールに対する即時応答の要否に関する情報であってもよい。
【００４２】
通知要否判断部３２は、通知存在情報について、フィルタ情報に基づいてユーザへの通知の要否を判断する。また、通知態様決定部３３は、ユーザへの通知の態様である通知態様を決定する。ここで、通知態様とは、ユーザの視覚、聴覚及び触覚を介した通知の態様をいう。
【００４３】
端末通信部３４は、電話部３５や電子メール部３６によりユーザへの通知を受信した場合に、ユーザへの通知があることを示す通知存在情報を電子腕時計１に送信する端末送信部３４ａと、電子腕時計１から通知存在情報やユーザ入力情報を受信する端末受信部３４ｂと、を含む。
【００４４】
電話部３５は、電話回線を通じた電話の送受信を行う。なお、電話部３５は、インターネット回線を通じたものであってもよいし、その他の回線を通じたものであってもよい。電子メール部３６は、電子メールの送受信を行う。携帯端末３０は、インターネット回線を利用するＳＮＳ（Social Networking Service）アプリケーション部を含んでもよく、ＳＮＳアプリケーションからユーザへの通知があった場合に、電子腕時計１に通知存在情報を送信することとしてもよい。ＳＮＳアプリケーション部は、携帯端末３０において実行されるＳＮＳアプリケーションを制御し、ユーザからの投稿を受け付けたり、ユーザへの通知を行う。
【００４５】
電子腕時計１のユーザ入力受付部４０は、後述する通知部４２によるユーザへの通知に対するユーザの入力を受け付ける。ユーザの入力は、竜頭２やプッシュボタン４の操作の他、ジェスチャーによるものを含んでよい。ジェスチャーは、電子腕時計１を装着した手首を振る動作等のユーザの特定の動作を検出するものである。電子腕時計１は、ジェスチャー検出のために加速度センサを含んでよく、手首を振る回数等のユーザの複数のジェスチャーを区別して検出するものであってよい。
【００４６】
時計通信部４１は、携帯端末３０の通知要否判断部３２に、通知存在情報を送信する時計送信部４１ａと、携帯端末３０（コンピュータ）にユーザへの通知があることを示す通知存在情報を受信する時計受信部４１ｂと、ユーザ入力受付部４０により受け付けられたユーザの入力を、携帯端末３０（コンピュータ）に送信するユーザ入力送信部４１ｃと、を含む。時計受信部４１ｂは、通知要否判断部３２による判断結果を受信し、ユーザへの通知の態様である通知態様も受信する。
【００４７】
通知部４２は、フィルタ情報による判断結果に基づいて、ユーザへの通知を行う。通知部４２は、携帯端末３０の通知態様決定部３３により決定された通知態様により、ユーザへの通知を行う。ここで、通知態様は、音、振動、指針位置及び指針動作の少なくともいずれかであり、これらの組み合わせであってもよい。通知部４２は、音によりユーザへの通知を行うアラーム部４２ａと、振動によりユーザへの通知を行う振動部４２ｂと、指針位置や指針動作によりユーザへの通知を行う運針部４２ｃと、を含む。通知態様決定部３３は、重要な通知であれば、音、振動、指針位置及び指針動作を組み合わせた通知態様としてユーザに感知されやすいようにして、比較的重要でない通知であれば、振動、指針位置及び指針動作を組み合わせた通知態様として静寂性を保つようにして、さらに重要度の低い通知であれば、指針位置及び指針動作を組み合わせた通知態様としてユーザを煩わさないようにしてもよい。なお、本実施形態に係る電子腕時計１において、運針部４２ｃによる通知は、秒針により電子メール受信表示１３や電話着信表示１４を指すことで行なわれるが、運針部４２ｃによる通知はこれに限られない。運針部４２ｃは、円盤やレトログラードにより通知を行ってもよい。
【００４８】
図３は、本発明の第１の実施形態に係る通知システム１００における通知方法を示すフローチャートである。同図では、携帯端末３０で行なわれる処理を左側に示し、電子腕時計１で行なわれる処理を右側に示している。
【００４９】
携帯端末３０の電話部３５に着信があるか又は電子メール部３６に受信があると（Ｓ１）、携帯端末３０にユーザへの通知があることを示す通知存在情報を、端末送信部３４ａにより電子腕時計１に送信する（Ｓ２）。通知存在情報は、電子腕時計１の時計受信部４１ｂにより受信され（Ｓ３）、時計送信部４１ａにより電子腕時計１へ送信される（Ｓ４）。この際、ユーザへの通知は行なわれない。電話部３５や電子メール部３６は、その機能が携帯端末３０のメーカーにより用意されており、通知要否判断部３２等の他の機能ブロックとの連携が自由に行えない場合がある。そのため、本実施形態に係る携帯端末３０は、通知存在情報を電子腕時計１に送信し、携帯端末３０に送り返させることで、間接的に、電話部３５や電子メール部３６と、通知要否判断部３２等の他の機能ブロックとの連携を実現している。
【００５０】
本実施形態に係る携帯端末３０において、電話部３５を制御するアプリケーションと電子メール部３６を制御するアプリケーションは、フィルタ情報記憶部３１を制御するアプリケーション、通知要否判断部３２を制御するアプリケーション及び通知態様決定部３３を制御するアプリケーションのいずれとも異なるアプリケーションである。それぞれのアプリケーションは、個別にインストールされ、個別にアップデートされる。そのため、本実施形態に係る携帯端末３０は、アプリケーションの仕様変更や機能追加に柔軟に対応できる。本実施形態に係る携帯端末３０によれば、電話部３５を制御するアプリケーションと電子メール部３６を制御するアプリケーションが携帯端末３０のメーカーによりアップデートされる場合であっても、フィルタ情報記憶部３１を制御するアプリケーション、通知要否判断部３２を制御するアプリケーション及び通知態様決定部３３を制御するアプリケーションを独立してアップデートすることができ、保守管理が容易となる。
【００５１】
電子腕時計１から送り返された通知存在情報は、端末受信部３４ｂにより受信され（Ｓ５）、通知要否判断部３２により、フィルタ情報に基づいてユーザへの通知が必要であるか否かが判断される（Ｓ６）。ユーザへの通知が必要でないと判断された場合、通知が不要であるという判断結果を端末送信部３４ａにより電子腕時計１に送信する（Ｓ７）。電子腕時計１は、時計受信部４１ｂにより判断結果を受信し（Ｓ８）、ユーザへの通知が不要との判断結果に従って、処理を終了する。なお、携帯端末３０の通知要否判断部３２によりユーザへの通知が不要であると判断された場合、当該判断結果を電子腕時計１に送信せず、処理を終了することとしてもよい。一方、通知要否判断部３２によりユーザへの通知が必要であると判断された場合、通知態様決定部３３により、ユーザへの通知態様が決定される（Ｓ９）。そして、通知要否判断部３２による判断結果（通知が必要であるという判断結果）及び通知態様決定部３３により決定された通知態様を、端末送信部３４ａにより電子腕時計１に送信する（Ｓ１０）。電子腕時計１は、時計受信部４１ｂにより判断結果及び通知態様を受信し（Ｓ１１）、当該通知態様に従って、通知部４２によりユーザへの通知を行う（Ｓ１２）。
【００５２】
本実施形態に係る通知システム１００によれば、電子腕時計１に比べて複雑な編集操作が行える携帯端末３０においてフィルタ情報を設定・編集できるため、フィルタ情報の設定・編集が容易となる。その結果、通知すべき情報か否かの判断がより精緻に行なわれ、必ずしも通知が必要でない情報については電子腕時計１により通知しないように設定でき、ユーザが大量の通知により煩わされることがなくなる。
【００５３】
また、本実施形態に係る通知システム１００によれば、通知要否の判断を携帯端末３０で行うため、比較的大容量のフィルタ情報と、負荷の大きい複雑な演算を用いて通知要否の判断を行うことができる。そのため、同等の処理を電子腕時計１にて行う場合と比較して、電子腕時計１の記憶容量や演算負荷を低減することができ、ひいては電子腕時計１の消費電力を低減することができ、電子腕時計１を小型化することもできる。
【００５４】
また、本実施形態に係る通知システム１００によれば、通知態様の決定を携帯端末３０で行うため、負荷の大きい複雑な演算を用いて通知態様の決定を行うことができる。そのため、同等の処理を電子腕時計１にて行う場合と比較して、電子腕時計１の演算負荷を低減しつつ、ユーザが通知をより確実に認識できるようにすることができる。
【００５５】
また、本実施形態に係る電子腕時計１の通知部４２は、アラーム部４２ａ、振動部４２ｂ及び運針部４２ｃを含むことで、ユーザの視覚、聴覚及び触覚に訴えて通知を行うことができ、より多彩な通知態様を実現することができる。通知部４２は、アラーム部４２ａ、振動部４２ｂ及び運針部４２ｃを組み合わせることで、通知の重要度に応じた通知態様によりユーザへの通知を行うことができる。
【００５６】
通知部４２によりユーザへの通知があった場合に、ユーザ入力受付部４０は、ユーザの入力を受け付ける（Ｓ１３）。ユーザ入力受付部４０は、ユーザが自動車の運転中である場合等、携帯端末３０を操作出来ない事情がある場合に、電話や電子メールの発信者に返信を行いたい場合に特に有用となる。
【００５７】
ユーザの入力があった場合、ユーザ入力送信部４１ｃにより、ユーザ入力情報を携帯端末３０に送信する（Ｓ１４）。ユーザ入力受付部４０がユーザの複数種類のジェスチャーを認識する場合、ユーザ入力情報は、複数種類のジェスチャーに対応した複数種類の情報のうちいずれかとなる。例えば、後述する定型メッセージを複数種類設定し、複数種類のジェスチャーにより、いずれの定型メッセージを再生するか選択できるようにしてよい。
【００５８】
携帯端末３０は、端末受信部３４ｂによりユーザ入力情報を受信し（Ｓ１５）、電話部３５により定型メッセージを発信する（Ｓ１６）。本実施形態では、電話部３５により、電話に出られない旨を告げる定型メッセージを発信することとする。電話部３５による返信の他、電子メール部３６により定型メッセージを返信することとしてもよい。
【００５９】
本実施形態に係る通知システム１００によれば、ユーザへの通知を電子腕時計１により示すだけでなく、当該通知に対して電子腕時計１により応答できるため、通知の際に必ずしも携帯端末３０を操作せずともよく、利便性の高い通知システム１００が得られる。
【００６０】
［第２の実施形態］
図４は、本発明の第２の実施形態に係る通知システム１００の機能ブロック図である。本実施形態に係る通知システム１００は、第１の実施形態に係る通知システム１００と比較して、携帯端末３０の機能ブロック及び電子腕時計１の機能ブロックで相違する点がある。本実施形態に係る携帯端末３０は、通知要否判断部３２及び通知態様決定部３３を含まず、電子腕時計１は、通知要否判断部４４及び通知態様決定部４５を含む。また、電子腕時計１は、時計記憶部４３を含む。その他の点については、本実施形態に係る携帯端末３０及び電子腕時計１と、第１の実施形態に係る携帯端末３０及び電子腕時計１とは、共通の機能ブロックを有する。
【００６１】
電子腕時計１の時計記憶部４３は、携帯端末３０（コンピュータ）で編集され、携帯端末３０にユーザへの通知があることを示す通知存在情報についてのユーザへの通知の要否を示すフィルタ情報を記憶する。また、通知要否判断部４４は、通知存在情報について、フィルタ情報に基づいてユーザへの通知の要否を判断する。通知態様決定部４５は、ユーザへの通知の態様である通知態様を決定する。
【００６２】
本実施形態に係る電子腕時計１の時計受信部４１ｂは、携帯端末３０からフィルタ情報を受信する。携帯端末３０から電子腕時計１へのフィルタ情報の送信は、任意のタイミングで行われてよく、ユーザが携帯端末３０によりフィルタ情報を編集する度に携帯端末３０から電子腕時計１にフィルタ情報を送信し、時計記憶部４３に記憶されたフィルタ情報を自動更新することとしてもよい。
【００６３】
本実施形態に係る電子腕時計１の通知部４２は、通知要否判断部４４の判断結果に基づいて、通知態様決定部４５により決定された通知態様により、ユーザへの通知を行う。携帯端末３０による判断結果に基づいてユーザへの通知を行うのではなく、通知要否を電子腕時計１にて判断する点が、本実施形態に係る通知システム１００と第１の実施形態に係る通知システム１００との違いである。
【００６４】
図５は、本発明の第２の実施形態に係る通知システム１００における通知方法を示すフローチャートである。同図では、携帯端末３０で行なわれる処理を左側に示し、電子腕時計１で行なわれる処理を右側に示している。
【００６５】
携帯端末３０の電話部３５に着信があるか又は電子メール部３６に受信があると（Ｓ２０）、携帯端末３０にユーザへの通知があることを示す通知存在情報を端末送信部３４ａにより、電子腕時計１へ送信する（Ｓ２１）。通知存在情報は、電子腕時計１の時計受信部４１ｂにより受信される（Ｓ２２）。
【００６６】
電子腕時計１は、通知存在情報を受信すると、通知要否判断部４４により、フィルタ情報に基づいてユーザへの通知が必要であるか否かを判断する（Ｓ２３）。ここで、ユーザへの通知が必要であると判断された場合、通知態様決定部４５により、ユーザへの通知態様が決定される（Ｓ２４）。そして、当該通知態様に従って、通知部４２によりユーザへの通知を行う（Ｓ２５）。
【００６７】
通知部４２によりユーザへの通知があった場合に、ユーザ入力受付部４０は、ユーザの入力を受け付ける（Ｓ２６）。ユーザの入力があった場合、ユーザ入力送信部４１ｃにより、ユーザ入力情報を携帯端末３０に送信する（Ｓ２７）。携帯端末３０は、端末受信部３４ｂによりユーザ入力情報を受信し（Ｓ２８）、電話部３５により定型メッセージを発信する（Ｓ２９）。本実施形態に係る通知システム１００によれば、ユーザへの通知を電子腕時計１により示すだけでなく、当該通知に対して電子腕時計１により応答できるため、通知の際に必ずしも携帯端末３０を操作せずともよく、利便性の高い通知システム１００が得られる。
【００６８】
図６は、本発明の第２の実施形態に係る通知システム１００におけるフィルタ情報の送信処理を示すフローチャートである。同図では、携帯端末３０で行なわれる処理を左側に示し、電子腕時計１で行なわれる処理を右側に示している。
【００６９】
携帯端末３０は、ユーザから指示があった場合又はフィルタ情報の更新があった場合に、端末送信部３４ａによりフィルタ情報記憶部３１に記憶されたフィルタ情報を、電子腕時計１に送信する（Ｓ３０）。電子腕時計１は、時計受信部４１ｂにより、フィルタ情報を受信し（Ｓ３１）、時計記憶部４３にフィルタ情報を記憶する（Ｓ３２）。
【００７０】
本実施形態に係る通知システム１００によれば、電子腕時計１に比べて複雑な編集操作が行える携帯端末３０によってフィルタ情報を設定・編集でき、フィルタ情報の設定・編集が容易となる。その結果、詳細に設定されたフィルタ情報により、重要度の低い情報については電子腕時計１により通知しないように設定でき、ユーザが大量の通知により煩わされることがなくなる。また、携帯端末３０により編集したフィルタ情報を、予め電子腕時計１に記憶しておくことで、ユーザへの通知を高速で行うことができるようになる。
【００７１】
図７は、本発明の第３の実施形態に係る通知システム１００の機能ブロック図である。本実施形態に係る通知システム１００は、第１の実施形態に係る通知システム１００と比較して、携帯端末３０の機能ブロック及び電子腕時計１の機能ブロックで相違する点がある。本実施形態に係る電子腕時計１は、速報性判断部４６及び通知態様決定部４５を含む。また、電子腕時計１は、時計記憶部４３を含む。その他の点については、本実施形態に係る携帯端末３０及び電子腕時計１と、第１の実施形態に係る携帯端末３０及び電子腕時計１とは、共通の機能ブロックを有する。
【００７２】
速報性判断部４６は、通知存在情報について、フィルタ情報に基づいてユーザへの即時通知の要否を判断する。速報性判断部４６は、通知存在情報について、即時応答が求められるものであるか否かをフィルタ情報に基づいて判断する。即時応答が求められる例としては、通知存在情報が電話の着信を表すものである場合や、重要なメールの着信を表すものである場合が挙げられる。通知部４２は、速報性判断部４６の判断結果に基づいて、ユーザへの通知を行う。具体的には、速報性判断部４６により即時応答が求められると判断された場合、通知部４２によりユーザへの通知を行う。
【００７３】
図８は、本発明の第３の実施形態に係る通知システム１００における通知方法を示すフローチャートである。同図では、携帯端末３０で行なわれる処理を左側に示し、電子腕時計１で行なわれる処理を右側に示している。
【００７４】
携帯端末３０の電話部３５に着信があるか又は電子メール部３６に受信があると（Ｓ４０）、携帯端末３０にユーザへの通知があることを示す通知存在情報を端末送信部３４ａにより、電子腕時計１へ送信する（Ｓ４１）。通知存在情報は、電子腕時計１の時計受信部４１ｂにより受信される（Ｓ４２）。
【００７５】
電子腕時計１の速報性判断部４６は、通知存在情報について、時計記憶部４３に記憶されたフィルタ情報に基づいてユーザへの即時通知の要否を判断する（Ｓ４３）。即時通知が必要であると判断された場合、通知態様決定部４５により通知態様が決定され（Ｓ５０）、通知部４２によりユーザに通知される（Ｓ５１）。
【００７６】
一方、速報性判断部４６により、即時通知が不要であると判断された場合、時計送信部４１ａにより通知存在情報が送信され（Ｓ４４）、携帯端末３０の端末受信部３４ｂで受信される（Ｓ４５）。そして、通知要否判断部３２により、通知存在情報について、フィルタ情報記憶部３１に記憶されたフィルタ情報に基づいてユーザへの通知の要否が判断される（Ｓ４６）。通知が必要と判断された場合、通知態様決定部３３により通知態様が決定され（Ｓ４７）、通知要否判断部３２による判断結果及び通知態様決定部３３により決定された通知態様が、端末送信部３４ａにより送信される（Ｓ４８）。判断結果及び通知態様は、時計受信部４１ｂにより受信され（Ｓ４９）、通知部４２によりユーザに通知される（Ｓ５１）。
【００７７】
通知部４２によりユーザへの通知があった場合に、ユーザ入力受付部４０は、ユーザの入力を受け付ける（Ｓ５２）。ユーザの入力があった場合、ユーザ入力送信部４１ｃにより、ユーザ入力情報を携帯端末３０に送信する（Ｓ５３）。携帯端末３０は、端末受信部３４ｂによりユーザ入力情報を受信し（Ｓ５４）、電話部３５により定型メッセージを発信する（Ｓ５５）。本実施形態に係る通知システム１００によれば、ユーザへの通知を電子腕時計１により示すだけでなく、当該通知に対して電子腕時計１により応答できるため、通知の際に必ずしも携帯端末３０を操作せずともよく、利便性の高い通知システム１００が得られる。
【００７８】
本実施形態に係る通知システム１００によれば、即時通知の要否に関するフィルタ情報を時計記憶部４３に記憶して、電子腕時計１では即時通知の要否のみを判断することで、電子腕時計１の記憶容量及び演算負荷を低減しつつ、一般的なフィルタ情報は携帯端末３０のフィルタ情報記憶部３１に記憶し、携帯端末３０によって演算負荷の大きい通知要否判断を行うことで、携帯端末３０がユーザへの通知を受けてから、電子腕時計１が通知を行うまでのタイムラグを短縮するとともに、電子腕時計１の記憶容量及び消費電力を低減することができる。
【００７９】
以上、本発明に係る実施形態について説明したが、この実施形態に示した具体的な構成は一例として示したものであり、本発明の技術的範囲をこれに限定することは意図されていない。例えば、コンピュータがＳＮＳアプリケーション部を有する場合、ＳＮＳアプリケーションが示すユーザへの通知の種別に応じて、電子時計の通知部による通知態様を決定することとしてもよい。当業者は、これら開示された実施形態を適宜変形してもよく、本明細書にて開示される発明の技術的範囲は、そのようになされた変形をも含むものと理解すべきである。
【符号の説明】
【００８０】
１  電子腕時計、２  竜頭、４  プッシュボタン、１０  文字板、１１  接続処理表示、１２  リンクロス表示、１３  メール受信表示、１４  電話着信表示、１５  ２４時間表示、１６  充電残量表示、１７  曜日表示、１８  アラーム設定表示、１９  接続状態表示、２０  モード表示、２１  秒針、２２  分針、２３  時針、３０  携帯端末、３１
フィルタ情報記憶部、３２  通知要否判断部、３３  通知態様決定部、３４  端末通信部、３４ａ  端末送信部、３４ｂ  端末受信部、３５  電話部、３６  電子メール部、４０  ユーザ入力受付部、４１  時計通信部、４１ａ  時計送信部、４１ｂ  時計受信部、４１ｃ  ユーザ入力送信部、４２  通知部、４２ａ  アラーム部、４２ｂ  振動部、４２ｃ  運針部、４３  時計記憶部、４４  通知要否判断部、４５  通知態様判断部、４６  速報性判断部、１００  通知システム。
【図１】
2020126074.tif 000003
【図２】
2020126074.tif 000004
【図３】
2020126074.tif 000005
【図４】
2020126074.tif 000006
【図５】
2020126074.tif 000007
【図６】
2020126074.tif 000008
【図７】
2020126074.tif 000009
【図８】
2020126074.tif 000010
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
コンピュータへの着信又は受信の少なくとも一方を電子時計にてユーザへ通知する通知システムにおいて、
ユーザへの通知の態様である通知態様を決定する通知態様決定部を前記コンピュータ又は前記電子時計が有する、
通知システム。
【請求項２】
前記通知態様は、音、振動、指針位置及び指針動作の少なくともいずれかである、
請求項１に記載の通知システム。
【請求項３】
前記通知態様は、指針位置であり、
前記電子時計は、ユーザへの通知の種別に応じた位置に前記指針を運針させる運針部を有する、
請求項２に記載の通知システム。
【請求項４】
前記電子時計が、
前記コンピュータとの接続状態を示す接続状態表示と、
前記接続状態に応じて前記接続状態表示を指し示すように指針を運針させる運針部と、
を有する、
請求項１〜３のいずれか１項に記載の通知システム。
【請求項５】
前記コンピュータ又は前記電子時計は、ユーザへの通知の要否を示すフィルタ情報を記憶する記憶部を有し、
前記フィルタ情報は、送信者又は送信内容に関する重要度を示す情報を含み、
前記通知態様決定部は前記重要度に基づいて通知態様を決定する、
請求項１〜４のいずれか１項に記載の通知システム。
【請求項６】
コンピュータへの着信又は受信の少なくとも一方をユーザへ通知する電子時計において、
ユーザへの通知の態様である通知態様を決定する通知態様決定部を有する、
電子時計。
【請求項７】
前記通知態様は、音、振動、指針位置及び指針動作の少なくともいずれかである、
請求項６に記載の電子時計。
【請求項８】
前記通知態様は、指針位置であり、
ユーザへの通知の種別に応じた位置に前記指針を運針させる運針部を有する、
請求項７に記載の電子時計。
【請求項９】
前記コンピュータとの接続状態を示す接続状態表示と、
前記接続状態に応じて前記接続状態表示を指し示すように指針を運針させる運針部と、
を有する、
請求項６〜８のいずれか１項に記載の電子時計。
【請求項１０】
ユーザへの通知の要否を示すフィルタ情報を記憶する記憶部を有し、
前記フィルタ情報は、送信者又は送信内容に関する重要度を示す情報を含み、
前記通知態様決定部は前記重要度に基づいて通知態様を決定する、
請求項６〜９のいずれか１項に記載の電子時計。
【請求項１１】
コンピュータへの着信又は受信の少なくとも一方を電子時計にてユーザへ通知する通知方法において、
前記コンピュータ又は前記電子時計により、ユーザへの通知の態様である通知態様を決定する、
通知方法。